(57)【要約】【課題】複数個からなる扉部等の回動部材の位置制御を可能とし、かつ、駆動源の配置を省スペースとする弾球遊技機を提供する。【解決手段】軸部材２４９を回動中心として遊技領域に突出し遊技球の流路を変更する第１位置と、軸部を回動中心として遊技領域から退行し遊技球を流下可能とする第２位置との間で回動可能とする第１扉部２１１、第２扉部２１２、第３扉部２１３を備え、第１扉部及び第２扉部の間に第３扉部を軸支し、第１扉部及び第２扉部は連結手段（軸部材２４９）により連結して互いに連動すると共に、第３扉部は第１扉部及び第２扉部に対して遊動可能とし、第１扉部及び第２扉部は同一の第１駆動源によって回動駆動させると共に、第３扉部は第１駆動源と異なる第２駆動源によって回動駆動させる。【選択図】図８
2006181050.tif 000002
【特許請求の範囲】
【請求項１】
遊技球を流下させる遊技領域を備えた弾球遊技機において、
軸部と、
前記軸部を回動中心として前記遊技領域に突出し遊技球の流路を変更する第１位置と、前記軸部を回動中心として前記遊技領域から退行し遊技球を流下可能とする第２位置との間で回動可能とする第１回動部材、第２回動部材、第３回動部材が備えられ、
前記第１回動部材及び前記第２回動部材の間に前記第３回動部材が軸支されて、前記第１回動部材及び前記第２回動部材は連結手段により連結されて互いに連動されると共に、前記第３回動部材は前記第１回動部材及び前記第２回動部材に対して遊動可能とされ、
前記第１回動部材及び前記第２回動部材は同一の第１駆動源によって回動駆動されると共に、前記第３回動部材は前記第１駆動源と異なる第２駆動源によって回動駆動されることを特徴とする弾球遊技機。
【請求項２】
前記軸部に軸部材が備えられ、
前記第１回動部材、前記第２回動部材、前記第３回動部材のいずれとも前記軸部材を共通の軸とし、
前記第１回動部材及び前記第２回動部材は前記軸部材に固定されていると共に、前記第３回動部材は前記軸部材に遊嵌されていることを特徴とする請求項１に記載の弾球遊技機。
【請求項３】
前記軸部に軸部材が備えられ、
前記第１回動部材、前記第２回動部材、前記第３回動部材のいずれとも前記軸部材を共通の軸とし、
前記第１回動部材及び前記第２回動部材は前記軸部に遊嵌されていると共に、前記第３回動部材は前記軸部に固定されていることを特徴とする請求項１に記載の弾球遊技機。
【請求項４】
前記遊技領域に設けられ遊技球が入球可能な開口部と、前記開口部を開放する開放状態と前記開口部を閉鎖する閉鎖状態との間で回動する回動扉部とが備えられ、
前記回動扉部は少なくとも前記第１回動部材、前記第２回動部材、前記第３回動部材を有し、
前記第１回動部材が前記閉鎖状態であるときに前記開口部の一部を閉鎖する第１扉部であると共に、前記第２回動部材が前記閉鎖状態のときに前記開口部の一部を閉鎖する第２扉部であり、前記第１扉部と前記第２扉部との間に遊技球が少なくとも１個は通過可能とする大きさの球通過部が形成され、前記第３回動部材が前記閉鎖状態であるときに前記球通過部を閉鎖可能な第３扉部であることを特徴とする請求項１ないし３のいずれか１項に記載の弾球遊技機。
【請求項５】
前記第１扉部、前記第２扉部、前記第３扉部の少なくとも一が前記開放状態であるときに、前記各扉部の少なくとも一が前記遊技領域に突出し該突出した扉部を介して遊技球を前記開口部に誘導可能とし、
前記第１扉部、前記第２扉部、前記第３扉部の少なくとも一が前記閉鎖状態であるときに、前記各扉部の少なくとも一が前記遊技領域から後退し該後退した扉部の前面側を遊技球は通過可能とするものであって、
前記第１扉部及び前記第２扉部が閉鎖状態であるとき、前記第１扉部及び前記第２扉部の前面側に前記球通過部の側方を囲む壁部材が立設されていることを特徴とする請求項４に記載の弾球遊技機。
【請求項６】
前記第１扉部、前記第２扉部、前記第３扉部の少なくとも一が前記開放状態であるときに、前記各扉部の少なくとも一が前記遊技領域に突出し該突出した扉部を介して遊技球を前記開口部に誘導可能とし、
前記第１扉部、前記第２扉部、前記第３扉部の少なくとも一が前記閉鎖状態であるときに、前記各扉部の少なくとも一が前記遊技領域から後退し該後退した扉部の前面側を遊技球は通過可能とするものであって、
前記第３扉部が閉鎖状態であるとき、前記第３扉部の側端部に前記遊技領域に突出する第３壁部材が立設されていることを特徴とする請求項４に記載の弾球遊技機。
【請求項７】
前記第１扉部もしくは前記第２扉部のいずれか一方には前記軸部を支点として前記第１扉部及び前記第２扉部を開閉させるときの力点となる第１開閉用部材が設けられ、前記第１駆動源は前記第１開閉用部材に作用して前記第１扉部及び前記第２扉部を開閉駆動させると共に、前記第３扉部には前記軸部を支点として前記第３扉部を開閉させるときの力点となる第２開閉用部材が設けられ、前記第２駆動源は前記第２開閉用部材に作用して前記第３扉部を開閉駆動させるものであって、
前記第１開閉用部材は前記第１扉部側もしくは前記第２扉部側のいずれかの扉部側の前記開口部内の一端側に突出して設けられていると共に、前記第１駆動源は前記いずれかの扉部側の前記開口部内の一端側に設けられ、前記第２開閉用部材は前記開口部内の他端側に突出して設けられていると共に、前記第２駆動源は前記開口部内の他端側に設けられることを特徴とする請求項４ないし６のいずれか１項に記載の弾球遊技機。
【請求項８】
前記第１扉部、前記第２扉部、前記第３扉部のいずれもが前記各扉部の前面側に錘を備えていることを特徴とする請求項４ないし７のいずれか１項に記載の弾球遊技機。
【発明の詳細な説明】
【技術分野】
【０００１】
この発明は、パチンコ遊技機等の弾球遊技機に関する。
【背景技術】
【０００２】
従前、大入賞口を３個の独立した回動する扉部により構成し、大入賞口の開放及び閉鎖を扉部毎に行っている弾球遊技機が開示されている（特許文献１参照）。特許文献１の弾球遊技機によると、大入賞口の開放及び閉鎖については、各々の扉部の開放または閉鎖によって遊技球の流下状態を変化させることができ、斬新な興趣を得ることができる。
【０００３】
しかしながら、個々の扉部は独立して制御駆動されているため、扉部の個数分だけ駆動源を配置しなければならなかった。このように、大入賞口付近に回動する扉部の個数分だけ駆動源を配置することは、遊技盤の構成、配置等を考慮すると、空間利用上の無駄を生じさせるものである。
【特許文献１】特開平９−２９００４６号公報
【発明の開示】
【発明が解決しようとする課題】
【０００４】
この発明は、このような状況に鑑み提案されたものであり、複数個からなる扉部等の回動部材の位置制御を可能とし、かつ、駆動源の配置を省スペースとする弾球遊技機を提供する。
【課題を解決するための手段】
【０００５】
すなわち、請求項１の発明は、遊技球を流下させる遊技領域を備えた弾球遊技機において、軸部と、前記軸部を回動中心として前記遊技領域に突出し遊技球の流路を変更する第１位置と、前記軸部を回動中心として前記遊技領域から退行し遊技球を流下可能とする第２位置との間で回動可能とする第１回動部材、第２回動部材、第３回動部材が備えられ、前記第１回動部材及び前記第２回動部材の間に前記第３回動部材が軸支されて、前記第１回動部材及び前記第２回動部材は連結手段により連結されて互いに連動されると共に、前記第３回動部材は前記第１回動部材及び前記第２回動部材に対して遊動可能とされ、前記第１回動部材及び前記第２回動部材は同一の第１駆動源によって回動駆動されると共に、前記第３回動部材は前記第１駆動源と異なる第２駆動源によって回動駆動されることを特徴とする弾球遊技機に係る。
【０００６】
請求項２の発明は、前記軸部に軸部材が備えられ、前記第１回動部材、前記第２回動部材、前記第３回動部材のいずれとも前記軸部材を共通の軸とし、前記第１回動部材及び前記第２回動部材は前記軸部材に固定されていると共に、前記第３回動部材は前記軸部材に遊嵌されていることを特徴とする請求項１に記載の弾球遊技機に係る。
【０００７】
請求項３の発明は、前記軸部に軸部材が備えられ、前記第１回動部材、前記第２回動部材、前記第３回動部材のいずれとも前記軸部材を共通の軸とし、前記第１回動部材及び前記第２回動部材は前記軸部に遊嵌されていると共に、前記第３回動部材は前記軸部に固定されていることを特徴とする請求項１に記載の弾球遊技機に係る。
【０００８】
請求項４の発明は、前記遊技領域に設けられ遊技球が入球可能な開口部と、前記開口部を開放する開放状態と前記開口部を閉鎖する閉鎖状態との間で回動する回動扉部とが備えられ、前記回動扉部は少なくとも前記第１回動部材、前記第２回動部材、前記第３回動部材を有し、前記第１回動部材が前記閉鎖状態であるときに前記開口部の一部を閉鎖する第１扉部であると共に、前記第２回動部材が前記閉鎖状態のときに前記開口部の一部を閉鎖する第２扉部であり、前記第１扉部と前記第２扉部との間に遊技球が少なくとも１個は通過可能とする大きさの球通過部が形成され、前記第３回動部材が前記閉鎖状態であるときに前記球通過部を閉鎖可能な第３扉部であることを特徴とする請求項１ないし３のいずれか１項に記載の弾球遊技機に係る。
【０００９】
請求項５の発明は、前記第１扉部、前記第２扉部、前記第３扉部の少なくとも一が前記開放状態であるときに、前記各扉部の少なくとも一が前記遊技領域に突出し該突出した扉部を介して遊技球を前記開口部に誘導可能とし、前記第１扉部、前記第２扉部、前記第３扉部の少なくとも一が前記閉鎖状態であるときに、前記各扉部の少なくとも一が前記遊技領域から後退し該後退した扉部の前面側を遊技球は通過可能とするものであって、前記第１扉部及び前記第２扉部が閉鎖状態であるとき、前記第１扉部及び前記第２扉部の前面側に前記球通過部の側方を囲む壁部材が立設されていることを特徴とする請求項４に記載の弾球遊技機に係る。
【００１０】
請求項６の発明は、前記第１扉部、前記第２扉部、前記第３扉部の少なくとも一が前記開放状態であるときに、前記各扉部の少なくとも一が前記遊技領域に突出し該突出した扉部を介して遊技球を前記開口部に誘導可能とし、前記第１扉部、前記第２扉部、前記第３扉部の少なくとも一が前記閉鎖状態であるときに、前記各扉部の少なくとも一が前記遊技領域から後退し該後退した扉部の前面側を遊技球は通過可能とするものであって、前記第３扉部が閉鎖状態であるとき、前記第３扉部の側端部に前記遊技領域に突出する第３壁部材が立設されていることを特徴とする請求項４に記載の弾球遊技機に係る。
【００１１】
請求項７の発明は、前記第１扉部もしくは前記第２扉部のいずれか一方には前記軸部を支点として前記第１扉部及び前記第２扉部を開閉させるときの力点となる第１開閉用部材が設けられ、前記第１駆動源は前記第１開閉用部材に作用して前記第１扉部及び前記第２扉部を開閉駆動させると共に、前記第３扉部には前記軸部を支点として前記第３扉部を開閉させるときの力点となる第２開閉用部材が設けられ、前記第２駆動源は前記第２開閉用部材に作用して前記第３扉部を開閉駆動させるものであって、前記第１開閉用部材は前記第１扉部側もしくは前記第２扉部側のいずれかの扉部側の前記開口部内の一端側に突出して設けられていると共に、前記第１駆動源は前記いずれかの扉部側の前記開口部内の一端側に設けられ、前記第２開閉用部材は前記開口部内の他端側に突出して設けられていると共に、前記第２駆動源は前記開口部内の他端側に設けられることを特徴とする請求項４ないし６のいずれか１項に記載の弾球遊技機に係る。
【００１２】
請求項８の発明は、前記第１扉部、前記第２扉部、前記第３扉部のいずれもが前記各扉部の前面側に錘を備えていることを特徴とする請求項４ないし７のいずれか１項に記載の弾球遊技機に係る。
【発明の効果】
【００１３】
請求項１の発明に係る弾球遊技機によると、第１回動部材及び第２回動部材の間に第３回動部材が軸支されて、前記第１回動部材及び前記第２回動部材は連結手段により連結されて互いに連動されると共に、前記第３回動部材は前記第１回動部材及び前記第２回動部材に対して遊動可能とされ、前記第１回動部材及び前記第２回動部材は同一の第１駆動源によって回動駆動されると共に、前記第３回動部材は前記第１駆動源と異なる第２駆動源によって回動駆動されるため、第１回動部材、第２回動部材の間に第３回動部材が存在しても、２個の駆動源により、複数個からなる回動部材の位置制御を可能とすることができる。
【００１４】
請求項２の発明に係る弾球遊技機によると、請求項１の発明において、前記軸部に軸部材が備えられ、前記第１回動部材、前記第２回動部材、前記第３回動部材のいずれとも前記軸部材を共通の軸とし、前記第１回動部材及び前記第２回動部材は前記軸部材に固定されていると共に、前記第３回動部材は前記軸部材に遊嵌されているため、軸部材が連結部材を兼ねて、第１回動部材及び第２回動部材の回動駆動と、第３回動部材の回動駆動とを個別に制御することができる。
【００１５】
請求項３の発明に係る弾球遊技機によると、請求項１の発明において、前記軸部に軸部材が備えられ、前記第１回動部材、前記第２回動部材、前記第３回動部材のいずれとも前記軸部材を共通の軸とし、前記第１回動部材及び前記第２回動部材は前記軸部に遊嵌されていると共に、前記第３回動部材は前記軸部に固定されているため、第３回動部材の回動駆動に要する部材数を軽減することができる。
【００１６】
請求項４の発明に係る弾球遊技機によると、請求項１ないし３のいずれか１項の発明において、遊技領域に設けられ遊技球が入球可能な開口部と、前記開口部を開放する開放状態と前記開口部を閉鎖する閉鎖状態との間で回動する回動扉部とが備えられ、前記回動扉部は少なくとも前記第１回動部材、前記第２回動部材、前記第３回動部材を有し、前記第１回動部材が前記閉鎖状態であるときに前記開口部の一部を閉鎖する第１扉部であると共に、前記第２回動部材が前記閉鎖状態のときに前記開口部の一部を閉鎖する第２扉部であり、前記第１扉部と前記第２扉部との間に遊技球が少なくとも１個は通過可能とする大きさの球通過部が形成され、前記第３回動部材が前記第１扉部及び前記第２扉部が前記閉鎖状態であるときに前記球通過部を閉鎖する第３扉部であるため、開口部の開放状態及び閉鎖状態に関して複数の態様を構成することができ、かつ、駆動源自体の数も扉部の個数より減らすことができる。
【００１７】
請求項５の発明に係る弾球遊技機によると、請求項４の発明において、前記第１扉部及び前記第２扉部が閉鎖状態であるとき、前記第１扉部及び前記第２扉部の前面側に前記球通過部の側方を囲む壁部材が立設されているため、壁部材による誘導と共に第３扉部の開放によって遊技球の入球し易さが向上する。
【００１８】
請求項６の発明に係る弾球遊技機によると、請求項４の発明において、前記第３扉部が閉鎖状態であるとき、前記第３扉部の側端部に前記遊技領域に突出する第３壁部材が立設されているため、壁部材による誘導と共に第１扉部、第２扉部の開放によって遊技球の入球し易さが向上する。
【００１９】
請求項７の発明に係る弾球遊技機によると、請求項４ないし６のいずれか１項の発明において、前記第１開閉用部材は前記第１扉部側もしくは前記第２扉部側のいずれかの扉部側の前記開口部内の一端側に突出して設けられていると共に、前記第１駆動源は前記いずれかの扉部側の前記開口部内の一端側に設けられ、前記第２開閉用部材は前記開口部内の他端側に突出して設けられていると共に、前記第２駆動源は前記開口部内の他端側に設けられるため、開口部内に空間を確保することができ、この空間の占める部品、部材の設計の自由度が高まる。
【００２０】
請求項８の発明に係る弾球遊技機によると、請求項４ないし７のいずれか１項の発明において、前記第１扉部、前記第２扉部、前記第３扉部のいずれもが前記各扉部の前面側に錘を備えているため、ひとたび開放した扉部においては、錘により開放状態が維持されるため、振動、衝撃による偶発的な開放、閉鎖のおそれは低減される。
【発明を実施するための最良の形態】
【００２１】
以下添付の図面に基づきこの発明の好適な実施形態を説明する。以下、前面、及び後面の表記は、遊技領域側が前面、弾球遊技機背面側が後面とする。図１は本発明の一実施例に係る弾球遊技機全体の正面図、図２は同弾球遊技機全体の裏面図、図３は同弾球遊技機の制御系を簡略に示すブロック図、図４は大入賞口の正面図と構造上面図、図５は大入賞口の斜視図、図６は大入賞口の構造断面図、図７は大入賞口の背面側からの分解斜視図、図８は大入賞口の正面側からの分解斜視図、図９は第３扉部が開放状態の斜視図と上面図、図１０は第１扉部及び第２扉部が開放状態の斜視図と上面図、図１１は全扉部が開放状態の斜視図と上面図、図１２は軸動体の斜視図、図１３は第１扉部の駆動態様を表す側面図、図１４は第３扉部の駆動態様を表す側面図、図１５は他の実施例に係る大入賞口の正面図、図１６は他の実施例に係る大入賞口の正面側からの分解斜視図である。
【００２２】
図１に示す実施例の弾球遊技機（ここではパチンコ遊技機）１は、遊技盤３の縁に遊技球の外側誘導レール４及び内側誘導レール５が略円形に立設され、前記内側誘導レール５によって囲まれた遊技領域６の中心線上にその上部から下部に向かって順に表示装置９、普通電動役物である始動入賞口１１、特別電動役物である大入賞口装置２００を備えた大入賞口１５、アウト口１７が配設され、また上方両側にはランプ風車１８ａ，１８ｂ、その下方に普通図柄変動開始用左ゲート１９及び普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球Ｐが入賞すると所定数の遊技球が賞球として払い出される。また、後に詳述するある条件で判定結果が当たり（この実施例では大当たり）となると、所定の特別遊技状態となって大入賞口１５が適宜の開放態様により開放され、遊技球が入賞し易い状態となる。また、普通図柄変動開始用ゲート１９，２１の検出信号により取得される普通図柄の当たり外れに関係する数値が所定値となった場合、始動入賞口１１が拡大開放状態となる。
【００２３】
前記遊技盤３の前面側には払い出された遊技球Ｐを受けるための上側球受け皿３２、該上側球受け皿３２を取り付けるための取付板３３、前記上側球受け皿３２の飽和時に遊技球を受けるための下側球受け皿３４、遊技状態を報知するランプ表示器３５，３６、音声や効果音を発して遊技状態を遊技者に報知するスピーカ３７、遊技者の発射操作に応じて遊技球を遊技領域６に向けて弾発発射する発射装置Ｈ等がそれぞれ組み付けられている。符号１５１はカードユニットである。
【００２４】
前記表示装置９の図柄表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。前記画像表示部５０は、数字、アルファベット、記号あるいは絵（キャラクタ）等の普通図柄または特別図柄を変動表示及び停止表示可能としている。さらに前記画像表示部５０は、横に並ぶ３つの表示領域に分割されて左側表示領域、中央表示領域、右側表示領域となっており、左側表示領域には左特別図柄が、中央表示領域には中特別図柄が、右側表示領域には右特別図柄が、それぞれ判定図柄として、変動表示及び停止表示可能とされている。なお、この実施例における前記左側表示領域、中央表示領域、右側表示領域にそれぞれ表示される特別図柄は、‘０’，‘１’，‘２’，‘３’，‘４’，‘５’，‘６’，‘７’，‘８’，‘９’，‘１０’，‘１１’の１２通りの図柄とされている。なお、前記画像表示部５０はその左下方の隅に普通図柄表示領域４５を有しており、普通図柄が該表示領域４５で所定時間（この実施例では５０秒）変動した後に停止図柄で停止表示される。
【００２５】
また、前記画像表示部５０は、前記特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。さらに、前記画像表示部５０の上方両側にあたる表示装置９は、ＬＥＤ等からなる特別図柄変動数記憶表示器５１を備えている。
【００２６】
前記始動入賞口１１は表示装置９の真下に設けられ、二つの可動片１１ａ，１１ｂが背面の始動入賞口用ソレノイドによって通常状態である略垂直の狭小開放状態と略Ｖ字形の拡大開放状態間を変化可能に制御されている。前記始動入賞口１１の拡大開放は、遊技者が視覚を通じて認識する前記普通図柄表示領域４５の図柄が変動停止して特定の図柄が表示された普通図柄当たりとなった時に行われる。この実施例では、遊技状態時に普通図柄表示領域４５の停止図柄が特定図柄で停止表示された場合には、０．４秒間の始動入賞口１１の拡大開放を１回行う。
【００２７】
また、前記始動入賞口１１の背面には、該始動入賞口１１に入賞した球を検出する特別図柄変動開始スイッチ（図示せず）が入賞球の通路に設けられており、該入賞球の検出によって遊技の当たり外れに関係する数値を取得し、前記図柄表示装置４３ではその数値に対応する図柄の変動を開始するようになっている。その際、特別図柄の変動中に始動入賞口１１に入賞し前記数値を記憶して保留、すなわち保留回数（この実施例では最高４回）を前記特別図柄変動数記憶表示器５１に表示し、図柄変動の開始による保留回数の減少によって前記表示器５１の表示個数を減らすようになっている。
【００２８】
前記普通図柄変動開始用左ゲート１９及び普通図柄変動開始用右ゲート２１は表示装置９の左右に設けられ、普通図柄変動開始スイッチを備え、該普通図柄変動開始スイッチで両ゲート１９，２１を通過する遊技球を検出することによって普通図柄の当たり外れに関係する数値を取得し、前記普通図柄表示領域４５の普通図柄の変動を開始させるようになっている。普通図柄の変動中に、前記普通図柄変動開始用左ゲート１９及び普通図柄変動開始用右ゲート２１を遊技球が通過することによって普通図柄の当たり外れに関係する数値を記憶して保留、すなわち保留回数（この実施例では最高４回）を普通図柄変動数記憶表示器４７に表示し、前記保留回数の減少によって前記表示器４７の表示個数を減らすようになっている。また、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する入賞口背面に設けられている。
【００２９】
実施例においては、遊技領域６に設けられ遊技球が入賞可能（入球可能）な開口部の一例として、大入賞口１５を示す。この大入賞口１５の開放及び閉鎖は大入賞口装置２００内の回動扉部２１０（第１扉部２１１，第２扉部２１２，第３扉部２１３）により行われる（図５等参照）。大入賞口１５は始動入賞口１１の下方に設けられ、後に詳述する第１ソレノイド（第１駆動源）により第１扉部２１１及び第２扉部２１２が開閉され、第２ソレノイド（第２駆動源）により第３扉部２１３が開閉される。大入賞口１５は、通常は回動扉部２１０（３個の扉部の全て）が閉じた状態とされ、当該大入賞口１５の内部には、大入賞口１５に入賞した入賞球を検出する入賞球数カウントスイッチ（図示せず）が設けられている。
【００３０】
図柄表示装置４３の作動及び大入賞口１５の作動、つまり特別遊技実行時（大当たり成立時）の動作について説明する。この特別遊技は、通常遊技とは異なり遊技者に特典を付与するものである。この特別遊技は、後述の主制御回路１４０によって、所定の確率に設定された特別遊技実行判定確率に基づいて判定条件の成立毎に実行されるか否かが判定される。前記のように始動入賞口１１に遊技球が入賞し、特別図柄変動開始スイッチによって入賞球が検出されると、該特別図柄変動開始スイッチにより入賞信号が主制御回路１４０（図３参照）へ送られ、それに伴って、主制御回路１４０内にて各種の数値（乱数値）が取得（抽出）され、その取得数値が主制御回路１４０のＲＡＭの特別図柄乱数記憶領域等に一旦格納される。そして、当該格納された各数値に基づいて大当たりの判定、確定停止図柄の決定（作成）、リーチの有無決定、図柄変動・停止パターン、装飾図柄の種類の決定、さらには図５等に示す回動扉部２１０（第１扉部２１１，第２扉部２１２，第３扉部２１３）の開放態様の決定等が行われ、前記図柄表示装置４３における画像表示部５０の左側表示領域、中央表示領域、右側表示領域で特別図柄の変動を開始する。
【００３１】
前記特別図柄の変動開始から所定時間変動後、例えば、左側表示領域、中央表示領域、右側表示領域の順や左側表示領域、右側表示領域、中央表示領域の順等で特別図柄が変動停止して、停止図柄が確定停止表示される。その際、決定された停止図柄及び図柄変動・停止パターン等によっては、リーチ状態が成立することがある。ここで、リーチ状態とは、画像表示部５０で特別図柄の変動表示が開始された後、表示制御が進行して表示結果が停止表示される前段階において、特定の表示態様、つまり大当たりの組合せが表示され易い可変表示態様となったと遊技者に思わせるための表示態様をいう。この実施例では、リーチ状態の１つとして、前記画像表示部５０の各表示領域のうち、最終停止図柄（ここでは中特別図柄）を表示する表示領域（ここでは中央表示領域）だけを残して、残りの二つの表示領域で図柄が特定の組合せ（例えば同一図柄）となるように停止表示するリーチ変動表示処理がなされている。
【００３２】
また、前記リーチ状態時には、前記画像表示部５０における特別図柄（主に最終停止特別図柄）の変動時間を長くしたり、前記画像表示部５０における特別図柄の背後に表示される背景画像を変化させたり、該画像表示部５０上に前記キャラクタや文字を表示する等の複数の画像情報からなる表示態様（リーチアクション等）の中から選択されたリーチアクション等が演出されるようになっている。なお、前記リーチ状態になる前に、該リーチ状態になる可能性または大当たりになる可能性が高いことを報知する予告（予兆）が演出されるようにしても良い。前記予告としては、画像表示部５０上へのキャラクタ表示や残像表示等が挙げられる。
【００３３】
前記停止特別図柄の組合せが、同一図柄の組合せからなる大当たり図柄組合せ（いわゆるぞろ目）であると、大当たり状態（特別遊技）に移行する。大当たり状態になると、前記大入賞口１５の回動扉部２１０（第１扉部２１１，第２扉部２１２，第３扉部２１３の少なくともいずれか、または全部）が開いて遊技領域６表面を落下してくる遊技球を受け止め、大入賞口１５へ入賞可能にし、該大入賞口１５への入賞があると、図示しない賞球払出装置により所定数の遊技球が賞球として払い出される。回動扉部２１０（第１扉部２１１，第２扉部２１２，第３扉部２１３の少なくともいずれか、または全部）は、所定時間（例えば２９．５秒）経過後、あるいは入賞球数カウントスイッチで検出された入賞球数が所定個数（例えば１０個）となった時点で閉じるようにされている。なお、前記入賞球数カウントスイッチで検出された入賞球数は、図柄表示装置４３の画像表示部５０に、０〜１０までの数字または棒グラフのように表示されるようになっている。
【００３４】
前記大入賞口１５の開放中または大入賞口１５（回動扉部２１０の扉部の全て）が閉じてから約２秒以内に、入賞球数カウントスイッチが所定個数の遊技球を検出すると、前記大当たりを再度繰り返す継続権利が発生し、所定最高回数（例えば最高１６回）、回動扉部２１０（第１扉部２１１，第２扉部２１２，第３扉部２１３の少なくともいずれか、または全部）の開放が繰り返される（ラウンド続行が決定される。）。
【００３５】
この弾球遊技機１は、図２に示す裏機構を備えている。図中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００３６】
主制御回路１４０は主制御基板１２１内に形成され、図３に示すように、ＣＰＵ，ＲＡＭ，ＲＯＭ，複数のカウンタを備えたコンピュータと、該コンピュータから送信された制御信号を受信し、その制御信号に基づいて所定の処理を行う表示制御回路１５０等を結ぶ入出力回路と、前記コンピュータと大入賞口１５に接続される第一中継回路１６０やランプ制御回路等を結ぶ入出力回路等で構成される。前記ＣＰＵは、制御部，演算部，各種カウンタ，各種レジスタ，各種フラグ等を備え、演算制御を行う他、大当たりの発生確率や小当たり（始動入賞口１１の拡開開放を行う普通図柄当たり）の発生確率を定める乱数等も生成している。また、前記ＲＡＭは、特別図柄変動開始スイッチの検出信号及び普通図柄変動開始スイッチの検出信号用の記憶領域，ＣＰＵで生成される各種乱数値用の記憶領域，各種データを一時的に記憶する記憶領域やフラグ，ＣＰＵの作業領域を備えている。さらに、前記ＲＯＭには、遊技上の制御プログラムや制御データが書き込まれている他、各遊技状態における大当たり及び小当たりの判定値等が書き込まれている。符号９５は賞球払出装置、９６は球貸装置である。
【００３７】
大入賞口１５における回動扉部２１０（第１扉部２１１，第２扉部２１２，第３扉部２１３）の開放動作の制御は、主制御回路１４０の入出力回路からの制御信号を第１中継回路１５０に送信される。さらに第１中継回路１５０を介して第１ソレノイド（第１駆動源）２５１、第２ソレノイド（第２駆動源）２５２のそれぞれに信号が送信される。この結果、当たり特別図柄の表示態様等いかんによって、第１扉部２１１，第２扉部２１２，第３扉部２１３の開放動作に差異が設けられる（図９ないし図１１参照）。
【００３８】
前記普通図柄表示領域４５における図柄変動の制御は、表示制御回路１５０によって行われる。表示制御回路１５０は、ＣＰＵ，ＲＡＭ，ＲＯＭを備えたコンピュータと、主制御回路１４０の入出力回路からの制御信号を受信して該コンピュータに送信する入力回路と、該コンピュータからのＲＧＢ信号を受信して画像表示部５０等に送信する出力回路を備えている。
【００３９】
以下、弾球遊技機１の開口部の一例である大入賞口１５について、その内部の構造である大入賞装置２００を詳述する。図４（ａ）の正面図に示すとおり、大入賞口１５（大入賞装置２００）には、ベース部２０１が備えられ、図示しないビス、釘等により遊技盤３（遊技領域６）に固定されている。大入賞口１５の開放、閉鎖のために、３個の扉部である第１扉部２１１，第２扉部２１２，第３扉部２１３からなる回動扉部２１０が備えられる。また、符号２３１は第１扉部の第１壁部材２３１、２３２は第２扉部の第２壁部材、２３３は第３扉部の第３壁部材２３３である。
【００４０】
図４（ｂ）の上面図に示すとおり大入賞口１５において、大入賞装置２００のベース部２０１は遊技盤３に埋設される。前記の第１壁部材２３１、第２壁部材２３２、第３壁部材２３３は、遊技領域６を保護するガラス板ＧＬとの間に僅かな隙間を有して各扉部に立設されている。図示の状態では、遊技領域を流下する遊技球は第１壁部材２３１または第２壁部材２３２の外側、２個の第３壁部材２３３の間を通過する。図中、符号２５１は第１ソレノイド（第１駆動源）、２５２は第２ソレノイド（第２駆動源）である。
【００４１】
図５の主要部分の斜視図から理解されるように前記の第１壁部材２３１、第２壁部材２３２、第３壁部材２３３は、略扇面形状とされ、その前面側に錘２６０が備えられている。特に、大入賞口１５において、遊技領域に突出し遊技球の流路を変更する第１位置（大入賞口を開放する開放状態）と、遊技領域から後退して遊技球を流下可能とする第２位置（大入賞口を閉鎖する閉鎖状態）との間で回動可能とする第１回動部材、第２回動部材、第３回動部材は、順に第１扉部２１１，第２扉部２１２，第３扉部２１３となる。
【００４２】
併せて、図６の大入賞口１５付近の構造断面図からも明らかなとおり、大入賞口１５の大入賞装置２００のベース部２０１は、遊技盤３に埋設されている。遊技領域６を流下する遊技球Ｐは、各回動部材が第１位置（大入賞口を開放する開放状態）となるときに当該大入賞口１５内へ取り込まれる。前記の第１ソレノイドは、図示の位置（大入賞装置２００の背後側）で取り付けられ、後述するように回動部材（実施例では、第１扉部２１１，第２扉部２１２）の回動駆動を制御する。
【００４３】
図７及び図８の分解斜視図を用い、大入賞装置２００を詳述する。ベース部２０１の背面には、前記の第１扉部２１１（第１回動部材），第２扉部２１２（第２回動部材），第３扉部２１３（第３回動部材）からなる回動扉部２１０が備えられる。各扉部２１１，２１２，２１３は、遊技球を受け入れやすくするため、それぞれ略平板状（緩やかなテーパ状面を有する）の受球部２８１，２８２，２８３を備えると共に、軸部２４０を回動中心として回動可能である。
【００４４】
軸部２４０には軸部材２４９が備えられ、第１扉部２１１（第１回動部材），第２扉部２１２（第２回動部材），第３扉部２１３（第３回動部材）のいずれとも軸部材２４９を共通の軸としている。第１扉部２１１の連結孔２１１ｓに軸部材２４９の一端２４９ａが挿入され、この軸部材２４９は第３扉部２１３の遊嵌孔２１３ｓに通される。そして、第２扉部２１２の連結孔２１２ｓに軸部材２４９の他端２４９ｂが挿入される。このようにして第１扉部２１１及び第２扉部２１２の間に第３扉部２１３が保持される。
【００４５】
実施例の軸部材２４９はその両端部２４９ａ，２４９ｂを断面視略Ｄ字状の切り欠きを有し、第１扉部２１１及び第２扉部２１２の接続をより強固としている。すなわち、Ｄ字状の切り欠きによって、第１扉部２１１及び第２扉部２１２は軸部の回動に対して従動するように、軸部に対しての回動が規制されている。従って、第１扉部２１１及び第２扉部２１２は軸部材２４９（連結手段に相当）により連結され、互いに連動して開放状態・閉鎖状態（第１位置・第２位置）の回動が行われる。一方、第３扉部２１３は軸部材２４９と回動の軸を共通とするものの、軸部材２４９の中央位置は断面円形であり、遊嵌状態とされる。このため、第１扉部２１１及び第２扉部２１２の回動に制約を受けることなく第３扉部２１３は回動することができる（遊動可能となる。）。上述した軸部に対しての回動を規制する構成をとれば、軸部の回動に対して従動されるべき扉部材を軸部に接着させず、当該軸部の回動に対して従動させるように固定された状態で使用することが可能となる。また、軸部の回動に対して従動されるべき扉部材を軸部に接着する場合よりも強固な固定状態を保つことが可能となる。
【００４６】
第１扉部２１１には第１開閉用部材２４１が備えられ、背後の第１伝達部材２４３の押圧を受ける。また、第３扉部２１３には第２開閉用部材２４２が設けられ、背後の第２伝達部材２４４の押圧を受ける。
【００４７】
軸部材２４９に接続された第１扉部２１１及び第２扉部２１２と、該軸部材と遊動する第３扉部２１３との一体物（図１２の軸動体３００を参照）は、ベース部２０１の軸受け部２０８に装着されることにより、回動可能となる。両端部２４９ａ，２４９ｂを保持するため、後部流路部材２０２がベース部２０１に取り付けられる。また、第１伝達部材２４３の軸部２４５及び第２伝達部材２４４の軸部２４６は後部流路部材２０２の各々に対応した後部軸受け部２０５に装着され、後部取り付け板２０９により保持される。符号２０１ｏはベース開口部、２０３は後部流路、２０４は入賞球カウントセンサの挿入部、２０６は入球部、２０７は誘導部である。
【００４８】
既に示した図４ないし図８より理解されるように、第１扉部２１１（第１回動部材に相当）が閉鎖状態であるとき、当然に前記の大入賞口１５（ベース開口部２０１ｏ）は閉鎖され、当該第１扉部２１１の閉鎖と同じくして第２扉部２１２（第２回動部材に相当）も閉鎖状態となり大入賞口１５（ベース開口部２０１ｏ）は閉鎖される。第１扉部２１１と第２扉部２１２との間に、遊技球が少なくとも１個（１球）は通過可能とする大きさの球通過部２１５が形成されている。第３扉部２１３（第３回動部材に相当）は、前記の第１扉部２１１及び第２扉部２１２が閉鎖状態であり、第３扉部２１３自身も閉鎖状態となったときに球通過部２１５を閉鎖する。すなわち、第３扉部２１３は球通過部と略同一の大きさである。
【００４９】
図７ないし図９に示すとおり、第１扉部２１１、第２扉部２１２、第３扉部２１３の少なくとも１箇所（第３扉部２１３を例示）が開放状態であるとき、第３扉部２１３の受球部２８３は遊技領域に突出し、この突出した受球部２８３を介して流下する遊技球Ｐを大入賞口１５（ベース開口部２０１ｏ）に誘導可能となる。また、第１扉部２１１、第２扉部２１２、第３扉部２１３の少なくとも１箇所（第１扉部２１１及び第２扉部２１２を例示）が閉鎖状態であるとき、前記第１扉部２１１の受球面２８１及び第２扉部２１２の受球面２８２は遊技領域から後退している。すなわち、大入賞口１５（ベース開口部２０１ｏ）は一部分で塞がれている。その結果、図示のとおり遊技球は後退した第１扉部２１１の前面側２９１あるいは第２扉部２１２の前面側２９２を通過する。
【００５０】
第１扉部２１１及び第２扉部２１２が閉鎖状態であるとき、第１扉部２１１の前面側２９１及び第２扉部２１２の前面側２９２に、前記球通過部２１５の側方を囲むため壁部材が立設されている。第１扉部２１１の前面側に第１壁部材２３１、第２扉部２１２の前面側に第２壁部材２３２が立設されている。ここで各壁部材は第３扉部が開放されたときの突出長とほぼ同一の突出長を有している。そのため、第３扉部２１３に受け止められた遊技球は、第１壁部材２３１、第２壁部材２３２により、ほぼ確実にベース開口部２０１ｏへ誘導される。
【００５１】
図７ないし図１０に示すとおり、第１扉部２１１、第２扉部２１２、第３扉部２１３の少なくとも１箇所（第１扉部２１１及び第２扉部２１２を例示）が開放状態であるとき、第１扉部２１１の受球部２８１及び第２扉部２１２の受球部２８２は遊技領域に突出し、この突出した両受球部２８１，２８２を介して流下する遊技球Ｐを大入賞口１５（ベース開口部２０１ｏ）に誘導可能となる。また、第１扉部２１１、第２扉部２１２、第３扉部２１３の少なくとも１箇所（第３扉部２１３を例示）が閉鎖状態であるとき、前記第３扉部２１３の受球面２８３は遊技領域から後退している。すなわち、大入賞口１５（ベース開口部２０１ｏ）は部分的に塞がれている。その結果、図示のとおり遊技球は後退した第３扉部２１３の前面側２９３を通過する。このように、第３扉部２１３が閉鎖状態であるとき、第３扉部２１３の前面側２９３の両側端部２９３ｅに第３壁部材２３３が立設されている。ここで第３壁部材２３３は、第１扉部２１１、第２扉部２１２が開放されたときの突出長とほぼ同一の突出長を有している。そのため、第１扉部２１１または第２扉部２１２に受け止められた遊技球は第３壁部材２３３により、ほぼ確実にベース開口部２０１ｏへ誘導される。
【００５２】
また、図１１においては、大入賞口１５の回動扉部（第１扉部２１１、第２扉部２１２、第３扉部２１３）は全て開放状態を表している。この場合、第１扉部２１１の受球部２８１、第２扉部２１２の受球部２８２、第３扉部２１３の受球部２８３は遊技領域の突出して、流下する遊技球を大入賞口１５（ベース開口部２０１ｏ）内に誘導可能としている。なお、図９，図１０にて例示した第１，第２，第３壁部材２３１，２３２，２３３は、各扉部が閉鎖状態時における上部分、本実施例では円弧状となっている外周部分は先細り形状である。つまり、遊技球の抵抗を少なくすることにより、遊技球の流下を容易としている。
【００５３】
図１２ないし図１４を用い第１，第２，第３扉部の駆動の機構を説明する。軸部材２４９を回動の共通軸として取り付けられた第１扉部２１１、第２扉部２１２、第３扉部２１３の一体物（軸動体３００）において、第１扉部２１１もしくは第２扉部２１２のいずれか一方（実施例では第１扉部２１１）には軸部材２４９（軸部２４０）を支点とすると共に、当該第１扉部２１１及び第２扉部２１２を開放させるときの力点となる第１開閉用部材２４１が突出して設けられている。
【００５４】
第１開閉用部材２４１は第１扉部２１１もしくは第２扉部２１２のいずれか（実施例では第１扉部２１１）側のベース開口部２０１ｏの内部方向に突出して設けられている（図８参照）。そこで、第１駆動源である第１ソレノイド２５１は、第１開閉用部材２４１と同じ側である大入賞口１５（ベース開口部２０１ｏ）の一端側に第１伝達部材２４３を介して設置される。前記の第１開閉用部材２４１には当接面２７１が形成され、当接面２７１は第１伝達部材２４３の突端２７３の押圧を受ける。従って、第１開閉用部材２４１は力点、軸部材２４９は支点、受球部２８１は作用点となり梃子の関係が成立する。
【００５５】
第３扉部２１３においても、前記の軸部材２４９（軸部２４０）を支点とすると共に、当該第３扉部を開閉させるときの力点となる第２開閉用部材２４２がアーム部２１４を介し接続されて設けられている。第２開閉用部材２４２は第１扉部２１１もしくは第２扉部２１２のいずれかの前記と異なる他側（実施例では第２扉部２１２）側のベース開口部２０１ｏの内部方向に突出して設けられている（図８参照）。そこで、第２駆動源である第２ソレノイド２５２は、第２開閉用部材２４２と同じ側である大入賞口１５（ベース開口部２０１ｏ）の他端側に第２伝達部材２４４を介して設置される。この第２開閉用部材２４２にの当接面２７２が形成され、当接面２７２は第２伝達部材２４４の突端２７４の押圧を受ける。従って、第２開閉用部材２４２は力点、軸部材２４９は支点、受球部２８３は作用点となり梃子の関係が成立する。
【００５６】
図示の第３扉部２１３のように、第２開閉用部材２４２はアーム部２１４に接続されて設けられているため、第３扉部から必要距離分だけ間隔を持たせて第２開閉用部材２４２を設けることが可能となる。前記の軸動体３００の構造からも明らかなとおり、第１開閉用部材２４１と第２開閉用部材２４２とは、ほぼ左右対称の位置関係となる。そのため、各扉部の開閉動に関与する部材が大入賞口１５（ベース開口部２０１ｏ）の左右に集約される。従って、前掲の図６ないし図８に示すとおり、大入賞口１５（ベース開口部２０１ｏ）の内部空間を有効に活用することができる。例えば、後部流路２０３、入賞球カウントセンサの挿入部２０４、入球部２０６、誘導部２０７の設計が容易となる。
【００５７】
第１ソレノイド２５１及び第２ソレノイド２５２は、図４（ｂ）、図６に示すとおり大入賞口１５（大入賞装置２００）の両脇に備えられ、図１３（ａ）に示す閉鎖状態のとき、第１ソレノイド２５１（第１駆動源）はＯＦＦ状態とされ、該ソレノイドのばね２５３により可動鉄心２５５は第１伝達部材２４３を介して第１開閉用部材２４１に作用（押圧）している。第１伝達部材２４３はソレノイドの押圧により軸部２４５を回動中心として回動する。そして、第１伝達部材の突端２７３にかかる押圧を受けて第１開閉用部材２４１の当接面２７１は押し下げられる。この結果、軸部材２４９を回動の中心として第１扉部２１１（受球部２８１）はせり上がる。既に述べたとおり、第１扉部２１１及び第２扉部２１２は軸部材２４９により連結されているため、互いの扉部は連動してせり上がる（駆動する）。
【００５８】
図１３（ｂ）に示す開放状態のとき、第１ソレノイド２５１（第１駆動源）はＯＮ状態とされ、該ソレノイド内のコイルが例示されて可動鉄心２５５がソレノイド側に引き寄せられる。そこで、第１伝達部材２４３の突端２７３にかかる押圧が解かれ、第１開閉用部材２４１の当接面２７１はせり上がる。この結果、軸部材２４９を回動の中心として第１扉部２１１（受球部２８１）は図１３（ａ）と逆に下がる。むろん、軸部材２４９による連結のため、第２扉部２１２も下がる。
【００５９】
図１４（ａ）に示す閉鎖状態のとき、第２ソレノイド２５２（第２駆動源）もＯＦＦ状態とされ、該ソレノイドのばね２５４により可動鉄心２５６が第２開閉用部材２４２に作用（押圧）している。第２伝達部材２４４はソレノイドの押圧により軸部２４６を回動中心として回動する。そして、第２伝達部材の突端２７４にかかる押圧を受けて第２開閉用部材２４２の当接面２７２は押し下げられる。この結果、軸部材２４９を回動の中心として第３扉部２１３（受球部２８３）はせり上がる。
【００６０】
図１４（ｂ）に示す開放状態のとき、第２ソレノイド２５２（第２駆動源）はＯＮ状態とされ、該ソレノイド内のコイルが例示されて可動鉄心２５６がソレノイド側に引き寄せられる。そこで、第２伝達部材２４２の突端２７２にかかる押圧が解かれ、第２開閉用部材２４２の当接面２７２はせり上がる。この結果、軸部材２４９を回動の中心として第３扉部２１３（受球部２８３）は図１４（ａ）と逆に下がる。
【００６１】
第１，第２駆動源としてソレノイドを開示したが、例示のソレノイドの励磁、消磁の態様は適宜である。また、ソレノイドの他に種々の電動モータ等を用いることも可能である。
【００６２】
図示の各扉部２１１，２１２，２１３に立設されている各壁部材２３１，２３２，２３３には、それぞれ錘２６０が備えられている。錘２６０は閉鎖時における各壁部材の前面側下方に備えられ、各扉部の重心は軸部（軸部材）よりも前面側であって下方に維持される。このため、実施例ではソレノイドの押圧がなくなると、当該各扉部は自然に開放状態とすることが可能となる。特に図１３（ｂ），図１４（ｂ）から理解されるように、ソレノイドの作用で扉部が開放状態となるとき、これらの錘により素早く扉部が開く。また、ひとたび開放した扉部においては、錘により開放状態が維持されるため、振動、衝撃により大入賞口の偶発的な開放、閉鎖するおそれは低減する。さらに、各扉部２１１，２１２，２１３の開放時、各扉部２３１，２３２，２３３の閉鎖状態時における各壁部材の下方の一辺となる部分はベース部材２０１に接する。換言すると、扇形状の各壁部材の中心角は扉部の開放角度と略同一である。そこで、壁部材はつっかえ棒の役割を果たし、流下する遊技球を受け止める際の衝撃に対し、扉部の耐久性を高めることが可能となる。
【００６３】
実施例の弾球遊技機１における大入賞口の各扉部の開放態様と、当否判定結果に基づく特別図柄の組み合わせとの関連を説明する。前述のとおり、遊技の当否判定結果が当たりであり、図柄表示装置４３の画像表示部５０に表示される特別図柄の組み合わせが‘６’，‘８’，‘１０’のぞろ目である場合、第２ソレノイド２５２のみを励磁する信号が送信される。この場合、図９に示すように、第３扉部２１３が回動して下がり、遊技領域に受球部２８３が現れる。いったん受球部２８３に当接した遊技球Ｐは、第１，第２扉部の第１，第２壁部材２３１，２３２に誘導されて大入賞口１５（ベース開口部２０１ｏ）の内部に転動されやすくなる。
【００６４】
また、遊技の当否判定結果が当たりであり、図柄表示装置４３の画像表示部５０に表示される特別図柄の組み合わせが‘０’，‘２’，‘４’のぞろ目である場合、第１ソレノイド２５１のみを励磁する信号が送信される。この場合、図１０に示すように、第１扉部２１１及び第２扉部２１２が回動して下がり、遊技領域に受球部２８１，２８２が現れる。いったん受球部２８１，２８２に当接した遊技球Ｐは、第３扉部の第３壁部材２３３に誘導されて大入賞口１５（ベース開口部２０１ｏ）の内部に転動されやすくなる。
【００６５】
これらに対して、遊技の当否判定結果が当たりであり、図柄表示装置４３の画像表示部５０に表示される特別図柄の組み合わせが奇数の図柄のぞろ目、すなわち、‘１’，‘３’，‘５’，‘７’，‘９’，‘１１’のぞろ目である場合、第１ソレノイド２５１及び第２ソレノイド２５２の両方を励磁する信号が送信される。この場合、図１１に示すように、第１扉部２１１、第２扉部２１２、第３扉部２１３の全てが回動して下がり、遊技領域に受球部２８１，２８２，２８３が現れる。これらの受球部に当接した遊技球Ｐは、それぞれの受球部に誘導されて大入賞口１５（ベース開口部２０１ｏ）の内部に転動されやすくなる。
【００６６】
上記のとおり、当否判定結果が当たりである場合に図柄表示装置４３の画像表示部５０に表示される特別図柄の組み合わせがいかなる組み合わせとなるかによって、大入賞口１５への入賞し易さに差異が設けられている。従って、遊技者は、どのような特別図柄の組み合わせとなるかについて常に関心を持つこととなり、遊技者の興趣はよりいっそう高まる。このほか、最初の遊技の当否判定結果が当たりであり、図柄表示装置の画像表示部に表示される特別図柄の組み合わせに応じて、各ラウンド毎に扉部の開放、閉鎖を異ならせることもできる。
【００６７】
また、弾球遊技機の大入賞口を２個の扉部のみにより開閉する機構と比較して、大入賞口の周辺に配設する釘の配置設計にも自由度が高まる。加えて、実施例のように、一見すると３個に見える扉部が独立して駆動するように見せながらも、２個の駆動源で扉部の駆動が可能となる。
【００６８】
他の実施例として、図１５及び図１６に開示される軸支の構造も可能である。具体的に述べると、第１扉部２１１（第１回動部材）と第２扉部２１２（第２回動部材）とは梁部２１６により接続され、両扉部は連動して開閉する。第１扉部２１１及び第２扉部２１２は軸部材２４９に遊嵌され、第３扉部２１３はこの軸部となる軸部材２４９に適宜固定されている。図１６にあっては第３扉部２１３に軸部２４０となる軸部材２４９が接続されているが、実際には、第１扉部２１１の貫通孔２１１ｔ、第２扉部２１２の貫通孔２１２ｔ、第３扉部２１３の貫通孔２１３ｔは同一直線上に並べられ、これらの各貫通孔に軸部材２４９が挿通され、軸動体３００Ｋが形成される。従って、第１扉部２１１及び第２扉部２１２の回動に制約を受けることなく第３扉部２１３は回動することができる（遊動可能となる。）。
【００６９】
本発明は、実施例に限定されるものではなく、発明の趣旨を逸脱しない範囲内において構成の一部を適宜変更して実施することができる。実施例では、軸支されて回動する回動部材の構成を大入賞口の開閉に用いられる扉部への適用例を開示するものである。そこで、同構成を具備する大入賞口を２個以上設けて、多彩な開放態様を演出することもできる。この他に、始動入賞口における拡大開放及び縮小開放制御に適用することは当然に可能である。さらには、遊技領域を流下する遊技球の流路を適宜変更する役物等の部材にも応用することができる。ちなみに、本発明は、パチンコ遊技機を用いて説明したが、アレンジボール遊技機等の適宜の遊技機に適用することもできる。
【図面の簡単な説明】
【００７０】
【図１】この発明の一実施例に係る弾球遊技機全体の正面図である。
【図２】同弾球遊技機全体の裏面図である。
【図３】同弾球遊技機の制御系を簡略に示すブロック図である。
【図４】大入賞口の正面図と構造上面図である。
【図５】大入賞口の斜視図である。
【図６】大入賞口の構造断面図である。
【図７】大入賞口の背面側からの分解斜視図である。
【図８】大入賞口の正面側からの分解斜視図である。
【図９】第３扉部が開放状態の斜視図と上面図である。
【図１０】第１扉部及び第２扉部が開放状態の斜視図と上面図である。
【図１１】全扉部が開放状態の斜視図と上面図である。
【図１２】軸動体の斜視図である。
【図１３】第１扉部の駆動態様を表す側面図である。
【図１４】第３扉部の駆動態様を表す側面図である。
【図１５】他の実施例に係る大入賞口の正面図である。
【図１６】他の実施例に係る大入賞口の正面側からの分解斜視図である。
【符号の説明】
【００７１】
１  遊技機
６  遊技領域
１５  大入賞口
１４０  主制御回路
２００  大入賞装置
２０１  ベース部
２１０  回動扉部
２１１  第１扉部（第１回動部材）
２１２  第２扉部（第２回動部材）
２１３  第３扉部（第３回動部材）
２３１  第１壁部材
２３２  第２壁部材
２３３  第３壁部材
２４０  軸部
２４１  第１開閉用部材
２４２  第２開閉用部材
２４９  軸部材
２５１  第１ソレノイド
２５２  第２ソレノイド
２６０  錘
３００  軸動体
【図１】
2006181050.tif 000003
【図２】
2006181050.tif 000004
【図３】
2006181050.tif 000005
【図４】
2006181050.tif 000006
【図５】
2006181050.tif 000007
【図６】
2006181050.tif 000008
【図７】
2006181050.tif 000009
【図８】
2006181050.tif 000010
【図９】
2006181050.tif 000011
【図１０】
2006181050.tif 000012
【図１１】
2006181050.tif 000013
【図１２】
2006181050.tif 000014
【図１３】
2006181050.tif 000015
【図１４】
2006181050.tif 000016
【図１５】
2006181050.tif 000017
【図１６】
2006181050.tif 000018